(57)【特許請求の範囲】
【請求項１】
モータサイクルブーツに関連され、剛性シェルに含まれた少なくとも一つのヒール部片（１４、５４、９４，１３４，１７４）に近接し且つヒンジ付けられた少なくとも一つの脚部片（１２、５２、９２、１３２，１７２）を備える構造であって、
脚部片（１２、５２、９２、１３２，１７２）とヒール部片（１４、５４、９４，１３４，１７４）との間に、
踵領域に位置し、脚部片とヒール部片との間の相対的な角運動については許容するが、相対的な直線運動については、停止手段によって規定された範囲内で脚部片の長手方向の移動のみを許容する第１のヒンジ手段（１６、５６、９６、１３６、１７６）と、
踝領域にあり、制限された角度範囲で角運動が可能な第２のヒンジ手段（１８、５８、９８、１３８，１７８）と、を有し、
脚部片とヒール部片との間の相対的な角運動は、第２のヒンジ手段により制限される、ことを特徴とする構造。
【請求項２】
第１のヒンジ手段（１６）は、脚部片（１２）を踵の近傍でヒール部片（１４）に固設し、脚部片およびヒール部片を貫通する孔にそれぞれ係合する第１のスタッド（２０）からなり、前記孔の一は前記第１のスタッド（２０）のシャンク（２２）の寸法を有し、他（２８）は前記脚部片の長手方向への制限された運動を許容すべく当該長手方向に細長いアイレットの形状であり、且つ、第２のヒンジ手段（１８）は、脚部片（１２）を踝の近傍でヒール部片（１４）に固設し、脚部片（１２）とヒール部片（１４）とに形成された２つの孔に係合する第２のスタッド（３４）からなり、その孔の一は前記第２のスタッド（３４）のシャンクの寸法を有し、他（３８）は第１のヒンジ手段（１６）を中心とした角度が制限された円弧に沿う自由な脚部片とヒール部片のとの間の相対的な角運動を許容するように、その同じシャンクよりも広いことを特徴とする請求項１の構造。
【請求項３】
対応するシャンクよりも広い第２のヒンジ手段（１８）の孔（３８）は、踝の領域で丸い形状であることを特徴とする請求項２の構造。
【請求項４】
対応するシャンクよりも広い第２のヒンジ手段（５８）の孔は、踝の領域に位置し、第１のヒンジ手段（５６）を中心とする円弧（Ａ）の形状を備える細長いアイレット（７８）であることを特徴とする請求項２の構造。
【請求項５】
第２のヒンジ手段（９８）は、第１のヒンジ手段（９６）を中心とする円弧（Ａ）の形状で、脚部片（９２）から突出し、ヒール部片（９４）から突出する持上げられたブリッジ片（１１８）の下を摺動可能な少なくとも一つの舌部（１１４）からなり、ここで、円弧状の舌部（１１４）には、閉じの際に角運動を制限する少なくとも第１の上側停止手段（１１６）と、開きの際に運動を制限する第２の下側停止手段（１２０）とが設けられていることを特徴とする請求項１の構造。
【請求項６】
上側停止手段（１１６）は、前記突出するブリッジ片（１１８）の２つの外側端部に対して休止する、円弧状の舌部（１１４）の基部における２つの拡幅された領域（１１６）からなり、下側停止手段（１２０）は、前記円弧状の舌部（１１４）の先端部から突出し、同じブリッジ片（１１８）の底端部に対して係合され得る、前記円弧状の舌部（１１４）の厚い領域からなることを特徴とする請求項５の構造。
【請求項７】
第２のヒンジ手段１３８は、第１のヒンジ手段（１３６）に中心付けられた円弧の形状で、脚部片（１３２）から突出し、球領域として内側に湾曲され、且つ、ヒール部片（１３４）に設けられて舌部（１５４）の形状に合う形状を有するポケット（１６１）内を摺動可能な少なくとも一つの舌部（１５４）からなり、ここで、舌部（１５４）には、閉じの際の角運動のための停止手段と、開きの際の角運動のための緩衝システムとが設けられていることを特徴とする請求項１の構造。
【請求項８】
閉じの際の角運動のための停止手段は、ポケット（１６１）の上縁部に対して係合する、舌部（１５４）の２つの拡幅領域（１５６）からなり、開きの際の角運動のための緩衝システムは、舌部（１５４）およびポケット（１６１）両者の球領域湾曲であることを特徴とする請求項７の構造。
【請求項９】
閉じの際の角運動のための停止手段は、ポケット（１６１）の底部（１６２）によって形成され、開きの際の角運動のための制動システムは、舌部（１５４）およびポケット（１６１）両者の球形状領域によって形成されていることを特徴とする請求項７の構造。
【請求項１０】
脚部片（１７２）およびヒール部片（１７４）の間の第１のヒンジ手段（１７６）は、脚部片とヒール部片との間の相対的な角運動および制限された前記脚部片の長手方向の運動を許容する弾性材料から作られた第１の弾性要素からなり、第２のヒンジ手段（１７８）は、脚部片とヒール部片との間の相対的な制限された範囲の角運動のみを許容する弾性材料から作られた少なくとも第２の要素からなることを特徴とする請求項１の構造。
【請求項１１】
第２のヒンジ手段（１７８）は、脚部片（１７２）およびヒール部片（１７４）の間で、踝の領域でブーツの各側に配置されているとともに、それぞれ弾性材料で形成されている要素からなることを特徴とする請求項１０の構造。
【発明の詳細な説明】
【０００１】
本発明は、モータサイクリストの下肢を保護するために、ブーツの脚部片の関連するヒール部片の軸線に関する主な方向、すなわち、長手、回転および捩れ方向における運動を制限するために意図された構造に関する。
【０００２】
不慮の衝突および転倒から派生する重傷の危険性は、モータサイクリングを実行している人にはよく知られている。怪我は、下肢、特に足部をよく含み、車両が高速で走行中に足を地面につけるような、些細な操縦すなわち事故に起因しているようである。このような状況下で、足は大きな応力を受け、もしも保護されていなければ、骨の破損や他の損傷、アキレス腱または踝領域の靭帯の断裂のような極めて重大な結末が起こるであろう。
【０００３】
従って、足を囲繞する剛性シェル、脚を囲繞しシェルにヒンジ付けられた同じく剛性の脚部片を備える従来のブーツによって満たされている前記怪我を防止する、または出来るだけ少なくとも制限する必要性が存している。事故の際、これらの部品は、保護されるべき下肢および遭遇した障害物の間に間違いなく位置され、衝撃を緩衝し、それらの作用を逸らす結果となる。
【０００４】
脚および足の骨折の可能性を大幅に制限し、且つ、下肢を充分なまでに取囲むべくデザインされた場合、過剰な捩れ角に対する保護には充分である、この形式のモータサイクルブーツは既に入手可能であったとしても、モータサイクリングの事故の際、足および脚の間での前または後方向のいずれかでの過剰な曲げ角度に導く、足および脚のある相対運動を制限できる構造は、現在、入手できない。
【０００５】
従って、本発明の主たる目的は、保護されるべき足および脚の間の相対運動、特に、回転運動を制限できる、モータサイクルブーツに用いられる構造を開示することにある。
【０００６】
上述の目的は、本発明による構造によって達成され、該構造は、剛性シェルの一部を形成している少なくとも一つのヒール部片に近接し、且つヒンジ付けられた少なくとも一つの脚部片を備える構造であって、脚部片とヒール部片との間に、踵に近接して位置されて実質的に制限される量、角度的に可動で、２つの停止手段間を軸方向に可動な第１のヒンジ手段および制限された角運動のみが可能な第２のヒンジ手段が設けられていることを特徴とする。
【０００７】
本発明の他の特徴は、付随されたサブクレームに見出せる。本発明の特徴の全ておよび結果の利点は、以下のいくつかの実施の形態の詳細な説明および添付の図面からより明瞭となるであろう。
【０００８】
図１の実施の形態では、モータサイクル用ブーツ（不図示）に関連されるべき構造１０は、第１の後部ヒンジ手段１６および第２の前部ヒンジ手段１８により、ヒール部片１４に連結された脚部片１２からなる。前記第１のヒンジ手段１６は、シャンク２２、外側拡大ヘッド２４および内側拡大ヘッド２６を有し、シャンク２２が脚部片１２に設けられた、軸方向に細長いアイレット２８を貫通している、締結スタッド２０からなる。第２のヒンジ手段１８は、脚部片１２の最下方部分の前方耳部３０、ヒール部片１４の関連する耳部３２および既に述べたスタッド２０と基本的に同様で細いシャンク（不図示）と外側拡大ヘッド３６と内側拡大ヘッド（不図示）とを有するスタッド３４を備えている。スタッド３４のシャンクは２つの孔を貫通し、一つはヒール部片１４の耳部３２のもので他の孔３８は脚部片１２の耳部３０のものである。ヒール部片１４の孔はスタッド３４のシャンクとほぼ同じ直径を有するが、脚部片１２の孔は外側拡大ヘッド３６よりも小さいけれども、そのシャンクよりも明かに大きい。結果として、脚部片１２の耳部３０のヒール部片１４の耳部３２に関する移動が、孔３８とスタッド３４のシャンクとの間の直径における既述の差異によって設定された制限内で許される。
【０００９】
第１のヒンジ手段１６の故に、脚部片１２の軸線とヒール部片１４の軸線との間での全ての相対的角運動は許容されるが、脚部片１２に設けられた細長いアイレット２８によって、スタッド２０のシャンク２２の移動に対し設定された制限内で、軸方向移動（すなわち、脚部片１２の長手方向軸線に沿う移動）のみが可能であるということが理解されよう。脚部片１２の軸線およびヒール部片１４の軸線間での相対的角運動は、前記第２のヒンジ手段１８によって制限されており、第２のヒンジ手段１８は、スタッド３４のシャンクがそれと脚部片１２の耳部３０に設けられた孔３８の縁部との間のバックラッシュ内で動くことを許すのみである。第１のヒンジ手段１６と第２のヒンジ手段１８との間の半径方向の相対運動は、ヒール部片１４を脚部片１２に固設しているスタッド２０によって実質的に防止されている。この方法により、衝撃を受けた場合には、脚部片１２およびヒール部片１４の、制限された相対的な開きおよび閉じ運動のみが許され、かくて、アキレス腱、踝関節およびそれらの靭帯に生ずるかもしれない最悪の怪我の危険性を低減する。
【００１０】
第２の実施の形態では、図２に示されたように、モータサイクルブーツ（不図示）に関連されるべき構造５０は、第１の後部ヒンジ手段５６および第２の前部ヒンジ手段５８により、ヒール部片５４に連結された脚部片５２からなる。第１のヒンジ手段５６は、前実施の形態におけるのと同じであり、すなわち、シャンク６２、外側拡大ヘッド６４および内側拡大ヘッド６６を有し、シャンク６２が脚部片５２に設けられた、軸方向に細長いアイレット６８を貫通している締結スタッド６０からなる。第２のヒンジ手段５８に関しては、脚部片５２の最下方部分の前方耳部７０、ヒール部片５４の関連する耳部７２および細いシャンク（不図示）と外側拡大ヘッド７６と内側拡大ヘッド（不図示）とを有するスタッド７４は、図１に示された実施の形態と同じである。とにかく、スタッド７４のシャンクによって貫通される２つの孔の中、ヒール部片５４の耳部７２に設けられた孔はスタッド７４のシャンクとほぼ同じ直径を有するが、一方、脚部片５２の前方耳部７０に設けられ、半径Ｒおよび大きさαの円弧形状を備える細長いアイレット形状を有する第２の孔７８は、前記直径よりも長い。結果として、第２のヒンジ手段５８は、脚部片５２のヒール部片５４に関しての円弧状孔７８に沿う移動を許容する。
【００１１】
図２から、第１のヒンジ手段５６の故に、脚部片５２の軸線およびヒール部片５４の軸線間での全ての相対的角運動は許容されるが、細長いアイレット６８によって、スタッド６０のシャンク６２の移動に対し設定された制限内で、軸方向移動（すなわち、脚部片５２の長手方向軸線に沿う移動）のみが可能であるということが理解されよう。脚部片５２およびヒール部片５４の軸線間の相対的角運動は、スタッド７４のシャンクの移動を脚部片５２の耳部７０に設けられている円弧状孔７８に沿う角度αに制限している第２のヒンジ手段５８によって、制限される。半径方向の運動は完全に防止される。何故なら、孔７８の形状が円弧Aの半径Ｒ内での変動を防止するからである。本発明のこの第２の実施の形態は、アキレス腱、踝関節およびそれらの靭帯に生ずるかもしれない怪我の制限に関して、第１の実施の形態よりも、より効果的であることを証明している。
【００１２】
さて、本発明の第３の実施の形態を示す図３、４および５を参照するに、モータサイクルブーツに関連されるべき構造９０は、第１の後部ヒンジ手段９６および第２の前部ヒンジ手段９８により、ヒール部片９４に連結された脚部片９２からなる。既述の両実施の形態におけるのと同じように、第１のヒンジ手段９６は、シャンク１０２、外側拡大ヘッド１０４および内側拡大ヘッド１０６を有し、シャンク１０２が脚部片９２に設けられた軸方向に細長いアイレット１０８を貫通している、締結スタッド１００からなる。しかしながら、脚部片９２の耳部１１０と下に横たわる、ヒール部片９４の耳部１１２との間に位置された第２のヒンジ手段９８は、２つの接合部１１６によって耳部１１０に連結され、図４および５に詳細に示されるように、ヒール部片９４の持上げられた部分によって得られるブリッジ片１１８の下を貫通して平均半径Ｒの円弧状舌部１１４からなっている。円弧状舌部１１４の、より厚い底端部１２０は、舌部１１４がブリッジ片１１８から抜け出るのを防止している。舌部１１４の形状および長さが、頂部においては接合部１１６により、底部においては、より厚い端部１２０によって制限されている舌部１１４の平均線Ａに沿う、脚部片９２のヒール部片９４に関する移動を許容する。
【００１３】
図３、４および５に示された第３の実施の形態では、ヒンジ手段９６が、脚部片９２の軸線およびヒール部片９４の軸線間での如何なる相対的角運動をも許容するが、脚部片９２に形成された細長いアイレット１０８におけるシャンク１０２の移動によって、制限された軸方向移動（すなわち、脚部片９２の長手方向軸線に沿う移動）のみを許容しているということが理解されよう。脚部片９２およびヒール部片９４の軸線間の相対的角運動は、円弧状舌部１１４の移動を肩部１１６とより厚い領域１２０との間に定められた半径Ｒの平均線Ａの長さに制限しているヒンジ手段９８によって制限される。半径方向の運動は完全に防止される。何故なら、ブリッジ片１１８の下の舌部１１４の形状が前記半径Ｒの如何なる変動をも防いでいるからである。本発明の第３の実施の形態の効率は、アキレス腱、踝関節およびそれらの靭帯に生ずるかもしれない怪我の制限に関して、図２に示された第２の実施の形態の効率と実質的に同じである。しかしながら、足部または脚部内に進入するかもしれないヒンジ手段９８のスタッドを排除することは、脚部片９２またはヒール部片９４の変形を生じさせる衝突の際に、構造物をより安全にするという付加的な利点を持っている。
【００１４】
本発明の第４の実施の形態を示す図６および７を参照するに、モータサイクルブーツに関連されるべき構造１３０は、第１の後部ヒンジ手段１３６および第２の前部ヒンジ手段１３８により、ヒール部片１３４に連結された脚部片１３２からなる。既述の３つの実施の形態におけるように、第１のヒンジ手段１３６は、シャンク１４２、外側拡大ヘッド１４４および内側拡大ヘッド１４６を有し、シャンク１４２が脚部片１３２に設けられた軸方向に細長いアイレット１４８を貫通している、締結スタッド１４０からなる。しかしながら、脚部片１３２の耳部１５０と下に横たわる、ヒール部片１３４の耳部１１２との間に位置された第２のヒンジ手段１３８は、２つの拡幅領域部１５６によって耳部１５０に連結され得、ポケット１６１に挿入され得る平均半径Ｒの円弧状舌部１５４により形成されている。ポケット１６１は、図７に詳細に示されるように、ポケットの底部を形成するべく領域１６２で連結された２つの隣接する壁部１５８および１６０によって、ヒール部片１３４の耳部１５２の内側に形成されている。
【００１５】
図６および７から、ヒンジ手段１３６が、脚部片１３２の軸線およびヒール部片１３４の軸線間での如何なる相対的角運動をも許容するが、脚部片１３２に設けられた細長いアイレット１４８におけるシャンク１４２の移動によって制限された軸方向移動（すなわち、脚部片１３２の長手方向軸線に沿う移動）のみを許容しているということが理解されよう。脚部片１３２およびヒール部片１３４の軸線間の相対的角運動は、閉じる際に円弧状舌部１５４の移動が２つの拡幅領域部１５６とヒール部片１３４のポケット１６１の底部１６２との間に定められた半径Ｒの平均線Ａの長さに制限され、開く際にその移動が隣接する壁部１５８および１６０に対して擦る舌部１５４の球形に湾曲された形状の故に緩衝されるという条件で、ヒンジ手段１３８によって制限される。半径方向の運動は完全に防止される。何故なら、ブリッジ片１１８の下のポケット内側の舌部１５４の形状が半径Ｒの如何なる変動をも防いでいるからである。本発明のこの実施の形態は、アキレス腱、踝関節およびそれらの靭帯に生ずるかもしれない怪我の制限に関して、図３、４および５に示された第３の実施の形態と実質的に同効である。加えて、開き中の円弧状の舌部１５４の緩衝された角移動は、前の実施の形態における円弧状舌部１１４の、より厚い底端部１２０によってもたらされるような不快な停止の代わりに、開き運動に対するなだらかな抵抗を伴う。
【００１６】
単純性の故に注目に値する、図８に示された本発明の最後の実施の形態では、モータサイクルブーツに関連されるべき構造１７０は、第１の後部ヒンジ手段１７６および第２の前部ヒンジ手段１７８により、ヒール部片１７４に連結された脚部片１７２からなる。後部および前部のヒンジ手段１７６および１７８の両者は、脚部片１７２とヒール部片１７４との踵および足首関節の内側の領域での連結を実現すべく弾性材料から成形された部品からなる。２つのヒンジ手段１７６および１７８の軸および角運動の制限は、それらの構成のために選択された弾性材料の物理的特徴によって確実とされる。何故なら、それらは、アキレス腱、踝関節および靭帯を含む怪我に対して充分は保護を提供し得るからである。この構成はまた、図１ないし７に示された４つの実施の形態よりも明らかに低コストであることで、注目に値する。
【００１７】
さらに、弾性材料から作られたヒンジ手段１７６および１７８を用いることは、脚部片１７２とヒール部片１７４に追加的な、より厚い領域を必要としないというさらなる利点を有することに注目すべきである。結果的に、本発明の第５の実施の形態は、構造１７０、脚部および足部の間に位置されるべき内側靴のデザインにおける単純化を許す。
【００１８】
最後に、本発明の上述の実施の形態は限定的意味で考慮されるべきでなく、定められる発明の範囲は以下のクレームによってのみ定められているということを注意する。
【図面の簡単な説明】
【図１】  本発明の第１の実施の形態によるブーツの保護部分の側面図である。
【図２】  図１と同様であるが、第２の実施の形態を表す。
【図３】  図１および２と同様であるが、第３の実施の形態を表す。
【図４】  前記第３の実施の形態を表し、第２のヒンジ手段の脚部片に連結された円弧状舌部を受入れるのに適し、ヒール部片に形成された、構造の部分的斜視図およびブリッジ片の部分的断面図をそれぞれ示す。
【図５】  前記第３の実施の形態を表し、第２のヒンジ手段の脚部片に連結された円弧状舌部を受入れるのに適し、ヒール部片に形成された、構造の部分的斜視図およびブリッジ片の部分的断面図をそれぞれ示す。
【図６】  図１ないし３と同様であるが、第４の実施の形態を表す。
【図７】  前記第４の実施の形態を表し、第２のヒンジ手段を実現すべく、球形状を有する舌部およびポケットアセンブリの部分的断面図を示す。
【図８】  弾性材料のヒンジ手段が用いられている第５の実施の形態の斜視図である。
【図１】
0004751001.tif 000002
【図２】
0004751001.tif 000003
【図３】
0004751001.tif 000004
【図４】
0004751001.tif 000005
【図５】
0004751001.tif 000006
【図６】
0004751001.tif 000007
【図７】
0004751001.tif 000008
【図８】
0004751001.tif 000009